(57)【要約】  【課題】  片面使用済みの裏紙に画像形成処理がなされた場合であっても，装置の複雑化を伴わずに，必要な画像形成面を容易に判別すること。  【解決手段】  画像形成部Ａに給紙される記録紙が裏紙かどうかを判断する裏紙判断手段と，この判断結果に基づいて上記記録紙の使用済み面に使用済みであることを示す付加情報を印字する付加情報印字手段とを備え，更にこの付加情報印字手段がフィニッシャー３００等の後処理手段に設ける。また，裏紙の使用済み面に，格子状の罫線，或いは画像形成の部数に対応したページ数を左右対称に反転させた数字を印字する。【選択図】図２
2005047129.tif 000002
【特許請求の範囲】
【請求項１】
記録紙を収容する給紙カセットから上記記録紙を取り出して画像形成部に供給する給紙手段と，上記画像形成部で画像が形成された上記記録紙に所定の後処理を行う後処理手段とを備えた画像形成装置であって，
上記給紙手段により給紙された記録紙が片面使用済みの裏紙かどうかを判断する裏紙判断手段と，上記裏紙判断手段による判断結果に基づいて上記記録紙の使用済み面に対して使用済みであることを示す付加情報を印字する付加情報印字手段とを備え，
上記付加情報印字手段が上記後処理手段に設けられてなることを特徴とする画像形成装置。
【請求項２】
上記付加情報印字手段が，格子状の罫線，或いは画像形成の部数に対応したページ数を左右対称に反転させた数字を印字するものである請求項１に記載の画像形成装置。
【請求項３】
上記記録紙を反転する用紙反転手段を更に備え，上記付加情報印字手段が，上記用紙反転手段により反転された上記記録紙の使用済み面に対して使用済みであることを示す付加情報を印字するものである請求項１又は２に記載の画像形成装置。
【請求項４】
上記裏紙判断手段が，上記給紙カセットに収容された用紙に関する収容用紙情報に基づいて該給紙カセットから給紙された記録紙が裏紙かどうかを判断するものである請求項１〜３のいずれかに記載の画像形成装置。
【請求項５】
上記裏紙判断手段が，上記給紙手段により供給される上記記録紙の両面に画像データが存在するかどうかを判断することにより，上記記録紙が裏紙かどうかを判断するものである請求項１〜３のいずれかに記載の画像形成装置。
【発明の詳細な説明】
【技術分野】
【０００１】
本発明は，記録紙の片面又は両面に画像を形成する複写機，プリンタ，印刷機等の画像形成装置に関し，特に，いわゆる裏紙と呼ばれる片面使用済みの記録紙の白紙面に画像を形成する画像形成装置に関するものである。
【背景技術】
【０００２】
近年，片面のみに印刷処理が施された片面使用済みの記録紙（以下，「裏紙」と称す。）を有効利用して地球環境を保護し，併せて企業内での記録紙の消費量を軽減して経費の削減を図る傾向にある。
しかし，例えば，裏紙の未使用面（白紙面）に原稿の画像データが印刷処理された結果，印刷出力後の記録紙の両面に画像データが存在することになり，このような書面が配布等されると，配布受理者としてはどちらの面に必要な画像データがあるのか判別することができず，両面とも必要な画像データであると勘違いする場合があった。この場合，印刷処理を行ったユーザが上記裏紙の不必要な面に「×」印等を手作業で記入することにより必要な面を判別できるようにしていたが，この手作業で記入する作業は煩雑であり，配布部数が多い場合は作業に多大な時間が費やされる。
一方，特許文献１には，片面使用済みの裏紙に画像を形成する場合は，上記裏紙の使用済み面に画像形成面と非画像形成面との区別を認識可能とする捺印を行う捺印手段を備えた画像形成装置が提案されている。これにより，手作業で記入することなく必要な面を容易に判別することが可能となる。
【特許文献１】特開２００１−１９２１４５号公報
【発明の開示】
【発明が解決しようとする課題】
【０００３】
しかしながら，上記従来の画像形成装置では，画像形成装置本体内部に捺印手段が設けられていたため，装置内部が複雑な構成となっており問題であった。
従って，本発明は上記事情に鑑みなされたものであり，その目的とするところは，裏紙に画像形成処理がなされた場合であっても，両面の画像データのうちどちらの面の画像データが必要なものであるかを容易に区別することができ，且つ装置の複雑化を伴わない画像形成装置を提供することにある。
【課題を解決するための手段】
【０００４】
上記目的を達成するために本発明は，記録紙を収容する給紙カセットから上記記録紙を取り出して画像形成部に供給する給紙手段と，上記画像形成部で画像が形成された上記記録紙に所定の後処理を行う後処理手段とを備えた画像形成装置であって，上記給紙手段により給紙された記録紙が片面使用済みの裏紙かどうかを判断する裏紙判断手段と，上記裏紙判断手段による判断結果に基づいて上記記録紙の使用済み面に対して使用済みであることを示す付加情報を印字する付加情報印字手段とを備え，上記付加情報印字手段が上記後処理手段に設けられてなることを特徴とする画像形成装置として構成されている。これにより，裏紙の両面の画像データのうちどちらの面の画像データが必要かどうかを容易に区別することが可能となり，更に，上記付加情報印字手段がフィニッシャー等の後処理手段に設けられるため，画像形成装置本体が複雑な構成とならず，しかも内部スペースを有効に利用することが可能となる。この場合，上記付加情報印字手段が，格子状の罫線，或いは画像形成の部数に対応したページ数を左右対称に反転させた数字を印字するものであることが望ましい。
【０００５】
ここで，上記記録紙を反転する用紙反転手段を更に備え，上記付加情報印字手段が，上記用紙反転手段により反転された上記記録紙の使用済み面に対して使用済みであることを示す付加情報を印字するものが考えられる。これにより，裏紙のどちらの面に対しても付加情報を印字することが可能となる。
【０００６】
また，上記裏紙判断手段が，上記給紙カセットに収容された用紙に関する収容用紙情報に基づいて該給紙カセットから給紙された記録紙が裏紙かどうかを判断するものが考えられる。これにより，上記収容用紙情報が，裏紙が収容された裏紙給紙カセットに関する情報であれば画像形成部に給紙される用紙が裏紙かどうかを容易に判断することが可能となる。
【０００７】
更に，上記裏紙判断手段が，上記画像形成部に供給される上記記録紙の両面に画像データが存在するかどうかを判断することにより，上記記録紙が裏紙かどうかを判断するものであることも考えられる。例えば，給紙カセットから給紙された記録紙を画像形成部に搬送する搬送路中に設けられたＣＣＤ等の読取手段によって，上記画像形成部に搬送される記録紙の両面を読み取ることで画像データの存在を判断して，上記記録紙が裏紙かどうかを判断する。
【発明の効果】
【０００８】
以上説明したように，本発明によれば，画像形成部に給紙される記録紙が裏紙かどうかを判断する裏紙判断手段と，この判断結果に基づいて上記記録紙の使用済み面に対して使用済みであることを示す付加情報を印字する付加情報印字手段とを備え，更にこの付加情報印字手段がフィニッシャー等の後処理手段に設けられているため，画像形成装置が複雑な構成とならず，裏紙の両面の画像データのうちどちらの面の画像データが必要かどうかを容易に区別することが可能となる。また，裏紙の使用済み面に，格子状の罫線，或いは画像形成の部数に対応したページ数を左右対称に反転させた数字が印字されるので，画像形成面から上記罫線或いはページ数が透けて把握され，単に使用済みであるかどうかを区別し得る印字がなされる場合と較べて裏紙の利便性が向上する。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るデジタル複合機Ｘの模式断面図，図２は本発明の実施の形態に係るデジタル複合機Ｘのシステムブロック図，図３は本発明の実施の形態に係るデジタル複合機Ｘの制御部１０により実行される印刷モード切替処理の手順を説明するフローチャート，図４は本発明の実施の形態に係るデジタル複合機Ｘの制御部１０により実行される付加情報印字処理の手順を説明するフローチャート，図５は本発明の実施の形態に係るデジタル複合機Ｘの制御部１０により実行される付加情報を選択設定する処理の手順を説明するフローチャートである。
【００１０】
まず，図１の断面図を用いて，本発明の一実施の形態に係る画像形成装置の一例であるデジタル複合機Ｘの概略構成及びその動作について説明する。尚，本デジタル複合機Ｘは画像形成装置の一例にすぎず，他の例として，複写機，ファクシミリ装置，印刷機，プリンタ装置等であってもかまわない。
本デジタル複合機Ｘは，印刷機能として複写機能，プリンタ機能，ＦＡＸ機能を有し，操作表示部３０（図２）からの操作入力や，ネットワークを介して接続されたパーソナルコンピュータ等の外部端末装置からの印刷ジョブの受信に応じた印刷機能が，制御部１０（図２）によって選択される。
図１に示すように，本デジタル複写装置Ｘは，大別すると，画像形成装置本体１００と，この画像形成装置本体１００の上面に設けられた自動原稿送り装置（ＡＤＦ）２００と，上記画像形成装置本体１００の側面であって，画像形成処理後の記録紙の排出側にフィニッシャー３００（後処理手段）とが設けられて構成されている。
上記画像形成装置本体１００は，その下方に複数の給紙カセット１０２，１０３（給紙手段）を有し，その上方には両面ユニット１０１が配置され，更にその上方には画像形成部Ａ及び定着装置１０４が配設されている。
上記自動原稿送り装置（ＡＤＦ）２００は，複数の原稿Ｓ１をセットする原稿セット部２０３と，この原稿セット部２０３にセットされた原稿Ｓ１を１部ずつ原稿搬送路に送り出す原稿給紙ローラ２１０と，上記原稿搬送路内に設けられ，搬送ローラ２１３により搬送された原稿Ｓ１の表面の画像データを読み取るＣＣＤ或いはＣＭＯＳ等からなる第１の画像読取部２０１と，裏面の画像データを読み取る第２の画像読取部２０２と，原稿Ｓ１を原稿排出部２１６へ排出する原稿排出ローラ２１５と，原稿をフィニッシャー３００へ送り出すフィニッシャー搬送ローラ２１４とを備えて構成されている。
上記フィニッシャー３００は，上記画像形成装置本体１００から搬送された記録紙を予め定められた排紙トレイ３２０へ排出する。また，フィニッシャー３００に搬送された記録紙を反転させる用紙反転部３０２（用紙反転手段）が備えられ，この用紙反転部３０２内には後述する付加情報印字部３０１（付加情報印字手段）が設けられている。
【００１１】
ＡＤＦ２００の原稿セット部２０３に原稿Ｓ１がセットされた後，ユーザにより給紙カセット１０２，１０３に記録紙が装着され，上記画像形成装置本体１００の上面部１１６に配置された液晶タッチパネル等の操作表示部３０（図２）に設けられた入力キーの操作によって，印刷枚数，印刷倍率等が入力され，記録紙の選択，両面印刷モード又は片面印刷モードの別，集約モード，トナーセーブモード，低画質モード等の機能設定が行われ，その後に，操作表示部３０上のスタートキーが入力操作されることによりコピー動作が開始される。尚，本実施形態においては上記給紙カセット１０２には片面使用済みのいわゆる裏紙Ｓ２が収容され，上記給紙カセット１０３には両面未使用の新用紙Ｓ３が収容されているものとする。
【００１２】
スタートキーが入力操作されると，原稿給紙ローラ２１０によって，原稿セット部２０３にセットされた原稿Ｓ１が１部ずつ原稿搬送路へ送り出される。上記原稿給紙ローラ２１０により送り出された原稿Ｓ１は搬送ローラ２１３等により上記第１の画像読取部２０１と第２の画像読取部２０２へ搬送される。上記第１の画像読取部２０１及び第２の画像読取部２０２により略同時に読み取られた両面画像データは，不図示の光電変換装置により電気的な画像情報信号に変換され，ユーザにより設定された機能に基づいて画像処理がなされ，その後に不図示の露光装置に送信される。
記録紙として裏紙Ｓ２が選択設定されいる場合は，上記スタートキーが入力操作されることにより，給紙ローラ１１２が回転し，裏紙Ｓ２が収容された給紙カセット１０２から裏紙Ｓ２が搬送路に送り出され，更に搬送ローラ１１４によりレジストローラ１１７に送達される。
【００１３】
上記画像形成部Ａは，静電潜像を担持する感光体ドラム１０５と，その周囲に，上記感光体ドラム１０５の表面を一様に帯電させる帯電装置１０６，上記感光体ドラム１０５の表面にレーザービームを照射して静電潜像を形成する不図示の露光装置，上記静電潜像を現像する現像装置１０７，現像されたトナー画像を記録紙Ｓ２に転写する転写装置１０９，転写後の感光体ドラム１０５の表面に残存するトナー粒子を除去するクリーニング装置１０８等が配設されて構成されている。感光体ドラム１０５は，例えばアルミ円筒の表面に感光層が形成されており，図１において時計方向に回転駆動される。帯電装置１０６は回転する感光体ドラム１０５の表面をコロナ放電等により数百Ｖに帯電させる。メインチャージャー１０６よりも回転方向下流側の感光ドラム１０５の表面には，不図示のレーザ発信器から出射されたレーザビームが照射されて静電潜像が形成される。
【００１４】
現像装置１０７では現像ローラが回転して，現像ローラ表面に形成された薄層が感光体ドラム１０５の表面に接触し，感光体ドラム１０５の表面上の静電潜像に帯電したトナーを付着させてトナー画像が形成される。上記レジストローラ１１７に送達された裏紙Ｓ２は，レジストローラ１１７によって，上記感光体ドラム１０５の表面に形成されたトナー画像の先端部（画像形成開始部）と裏紙Ｓ２の先端部とが同期するよう上記画像形成部Ａの転写装置１０９に送り出される。上記転写装置１０９では，上記裏紙Ｓ２が上記感光体ドラム１０５とその周速と同じ速度で移動する転写ベルトとの間に挟持された状態で搬送されながら帯電されて上記トナー画像が上記裏紙Ｓ２上に転写される。転写後に上記感光体ドラム１０５の表面上に残留したトナーや他の付着物は，転写装置２０の下流側に配置されたクリーニング装置１０８によって除去される。
【００１５】
上記転写装置１０９によってトナー像が転写された裏紙Ｓ２は，その搬送方向下流側に設けられた定着装置１０４に運ばれ，定着装置１０４の定着ローラとこれに対向する加圧ローラとの間を通り，裏紙Ｓ２上のトナーが内部にヒータを備えた定着ローラの熱によって溶融定着される。加圧ローラは，上記裏紙Ｓ２を上記定着ローラに押し付けて，トナーの定着を確実にする。
記録紙として裏紙Ｓ２が選択されている場合は，設定ミスがない限り，通常，原稿画像を裏紙Ｓ２の未使用面に印刷する片面印刷モードが設定される。従って，両面印刷モードが設定されている場合とは異なり，上記定着装置１０４を通過した裏紙Ｓ２は，両面ユニット１０１へは搬送されず，後処理を行うために上記定着装置１０４の搬送方向下流側に配置された搬送ローラ１１５によりフィニッシャー３００へ搬送される。また，仮に，記録紙として裏紙Ｓ２が選択され，誤って上記両面印刷モードが設定されている場合であっても，従来ならば上記定着装置１０４を通過した裏紙Ｓ２は両面ユニット１０１に搬送され，該両面ユニット１０１において反転された後に，上記画像形成部Ａへ搬送されて，上記裏紙Ｓ２の使用済み面に重ねて原稿画像が印刷されていたが，本デジタル複合機Ｘでは，その制御部１０（図２）に，後述する裏紙判断機能１１及び印刷モード切替機能１２が備えられているため，裏紙Ｓ２の使用済み面に原稿画像が重ねて印刷されることがなくなり，また，この場合に印刷処理が中断されることもない。
【００１６】
フィニッシャー３００へ搬送された裏紙Ｓ２は，搬送ローラ３１６により用紙反転部３０２へ搬送され，ここで裏紙Ｓ２の表面と裏面とが反転させられる。但し，新用紙Ｓ３が収容された給紙カセット１０３から給紙された新用紙Ｓ３に画像が形成された場合は，用紙反転部３０２へは搬送されずに，搬送ローラ３１５，排紙ローラ３１７等により排紙トレイ３２０へ排出される。上記用紙反転部３０２において反転された裏紙Ｓ２は，その使用済み面（画像形成装置本体１００において画像が形成されなかった面）の面上に位置するよう配設された付加情報印字部３０１によって，上記使用済み面に付加情報が印字される。これは，裏紙Ｓ２の未使用面に画像を形成する場合に，裏紙Ｓ２の画像形成面（有効画像面）と使用済み面とのどちらの面がユーザにとって必要な画像が形成された面であるかどうかの区別ができなくなり，ユーザが錯誤することがあるため，上記画像形成面と使用済み面とを区別することができる上記付加情報が上記使用済み面に印字される。このようにフィニッシャー３００に上記付加情報印字部３０１が設けられているため，画像形成装置本体の内部構造が複雑化せず，内部スペースを有効に利用することが可能となる。尚，かかる付加情報印字部３０１については後段において詳述する。
付加情報が印字された裏紙Ｓ２は，排紙ローラ３１７により排紙トレイ３２０へ排出される。
【００１７】
次に，図２のブロック図を用いて，本発明の一実施形態に係るデジタル複合機Ｘのシステムの概略について説明する。
本デジタル複合機Ｘは，システムバス４０を介して，画像形成装置本体１００を構成する制御部１０，記憶部２０及び操作表示部３０と，フィニッシャー３００を構成する付加情報印字部３０１，用紙反転部３０２と，自動原稿送り装置（ＡＤＦ）２００を構成する第１の画像読取部２０１，第２の画像読取部２０２とが接続されて構成されている。上記制御部１０は，ＲＡＭ，ＣＰＵ等からなり，上記各部を統括制御する。かかる制御部は，片面印刷モード選択機能１１，両面印刷モード選択機能１２，裏紙判断機能１３，印刷モード切替機能１４を備え，これらの機能を達成するための手段が，片面印刷モード選択手段，両面印刷モード選択手段，裏紙判断手段，印刷モード切替手段である。尚，これらの手段は，具体的には制御部１０を制御するプログラムにより構成される。
上記記憶部２０は，ＲＯＭやフラッシュメモリ等の不揮発性メモリやハードディスク等からなるものであり，付加情報印字部３０１により印字される付加情報，上記第１の画像読取部２０１或いは上記第２の画像読取部２０２により読み取られた原稿の両面の画像データが記憶される。尚，本デジタル複合機Ｘでは，上記記憶部２０が上記画像形成装置本体１００内部に設けられた構成をしているが，上記画像形成装置本体１００の外部に設けられた不揮発性メモリやハードディスク等の記憶装置として構成されていても差し支えない。
【００１８】
上記付加情報印字部３０１は，上記制御部１０の裏紙判断機能１３により，給紙カセットから給紙された記録紙が裏紙であるかどうかがと判断され，この判断結果に基づいて上記記録紙が裏紙Ｓ２であると判断された場合に，上記用紙反転部３０２に搬送された裏紙２に付加情報を印字するものであり，例えば，制御部１０により裏紙であると判断された後に出力される付加情報印字信号を受信することにより給紙カセット１０２から搬送された裏紙Ｓ２の使用済み面に対して使用済みであることを示す付加情報を印字するものである。具体的には，インクジェット方式による印字装置，ローラスタンプ等の簡易スタンパ，或いは焼き印等が該当する。
上記付加情報印字部３０１による上記付加情報の印字動作は，上記付加情報印字信号を受信する場合に限られず，例えば上記用紙反転部３０２に用紙が搬送されたことを検出するセンサの出力信号を受信することにより印字するものであってもよい。そのためには，上記用紙反転部３０２にフォトセンサや赤外線センサ等の記録紙の存在を検出するセンサを設ける必要がある。
上記付加情報は，裏紙Ｓ２の使用済み面に対して使用済みであることを示すものであればよく，例えば，「×」印や「／」印，或いは「無効」と印字するものであってもよい。また，使用済み面の全体或いは一部に格子状の罫線を印字するものでもよい。また，画像を形成する原稿の部数に対応したページ数を左右対称に反転させた数字を印字するものであってもよい。画像形成面から上記罫線或いはページ数が透けて把握されるため，単に使用済みであるかどうかを区別し得る「×」印等が印字される場合と較べて裏紙の利便性が向上する。
また，上記付加情報印字部３０１が画像形成装置本体１００でなく，フィニッシャー３００に設けられているため，画像形成装置本体の内部構造が複雑化されず，内部スペースを有効に利用することが可能となる。
上記用紙反転部３０２は，フィニッシャー３００に設けられ，フィニッシャー３００に搬送された裏紙Ｓ２を反転させるものであり，例えば，給紙カセットから給紙された記録紙が裏紙Ｓ２であると判断され，この判断結果に基づいて上記記録紙が裏紙Ｓ２であると判断された場合に，上記用紙反転装置３０２へ案内された裏紙Ｓ２を反転させるものである。具体的には，制御部１０により裏紙Ｓ２であると判断された後に出力される用紙反転信号を受信することにより，裏紙Ｓ２を上記用紙反転装置３０２へ導き反転させるものが考えられる。
【００１９】
ここで，上記制御部１０が有する片面印刷モード選択機能１１，両面印刷モード選択機能１２，裏紙判断機能１３及び印刷モード切替機能１４について説明する。
片面印刷モード選択機能１１とは，画像形成部Ａに供給された記録紙の片面に画像を形成する片面印刷モードを選択設定する機能であって，例えば，ユーザにより上記操作表示部３０の設定画面メニューから片面印刷モードが指示入力され，その指示入力信号に基づいて上記片面印刷モードを設定する機能である。また，両面印刷モード選択機能１２とは，画像形成部Ａに供給された記録紙の両面に画像を形成する両面印刷モードを選択設定する機能であって，かかる機能も上記片面印刷モード選択機能１１と同じく，ユーザにより上記操作表示部３０の設定画面メニューから両面印刷モードが指示入力され，その指示入力信号に基づいて上記片面印刷モードを設定する機能である。
裏紙判断機能１３とは，上記給紙カセットにより給紙された記録紙が片面使用済みの裏紙かどうかを判断する機能であって，例えば，上記給紙カセットに収容された用紙に関する収容用紙情報に基づいて上記給紙カセットから給紙された記録紙が裏紙かどうかを判断するもの，或いは，上記給紙カセットにより供給される上記記録紙の両面に画像データが存在するかどうかを判断することにより，上記記録紙が裏紙かどうかを判断するものである。
印刷モード切替機能１４とは，上記裏紙判断機能１３による判断結果に基づいて，上記両面印刷モード選択機能１２により選択された両面印刷モードを無効とし，上記片面印刷モードに切り替える機能である。また，上記両面印刷モードを上記片面印刷モードに切り替えるとともに，トナーセーブモード，集約モード，低画質モードのいずれか１つ或いは複数の印刷条件を自動的に設定するものでもある。
【００２０】
次に，図３のフローチャートを用いて，本発明の実施の形態にかかるデジタル複合機Ｘの制御部１０により実行される印刷モード切替処理の手順について説明する。図中のＳ１０，Ｓ２０，…は処理手順（ステップ）番号を示す。処理はステップＳ１０より開始される。
ステップＳ１０では，制御部１０により，裏紙Ｓ２が収容された給紙カセット１０２が選択設定されているかどうかが判断される。ユーザにより，例えば操作表示部３０に表示される設定画面上で給紙されるべき記録紙として裏紙が指示入力されると，制御部１０は，この指示入力信号と，給紙カセットが有する収容用紙情報とを照合し，照合の結果，上記指示入力信号と一致する上記収容用紙情報を有する給紙カセットを裏紙Ｓ１が収容された給紙カセット１０２であると判断する。このように，ステップＳ１０の処理を実行する機能が裏紙判断機能１１である。
ステップＳ１０で裏紙Ｓ２が収容された給紙カセット１０２が選択設定されていると判断されると，続いてステップＳ２０において両面印刷モードが選択設定されているかどうかが判断される。かかる判断は，前記両面印刷モード選択機能１２によって両面印刷モードが選択されているかどうかを判断することにより達成される。ここで，両面印刷モードが設定されていると判断されれば，処理はステップＳ３０に進み，切替表示処理がなされる。両面印刷モードが設定されていないと判断されれば，処理はステップＳ５０に進み，印刷モードの切替処理がなされないまま印刷処理が実行される。
ステップＳ３０では，印刷モードが切り替えられることをユーザに通知する切替表示処理が実行される。具体的には，制御部１０によって，上記操作表示部３０に印刷モードが切り替えられることが表示される。また，かかる切替表示処理は，例えば，印刷モードが切り替えられることを表示するとともに，所定の時間をカウントする処理であってもよい。この場合，タイムアウトすることにより処理がＳ４０に進む。
ステップＳ４０では，印刷モードの変更処理が実行される。即ち，設定された両面印刷モードを無効にして，印刷モードを片面印刷モードに切り替える処理が行われる。この際，同時に，記録紙に印字するトナーの濃度を抑制するトナーセーブモード，印刷画像を集約して裏紙Ｓ２に集約された画像を形成する集約モード，或いは裏紙Ｓ２に形成される画像の画質を抑制する低画質モードのいずれか１つ或いは複数を設定する。ステップＳ４０において印刷モード切替処理がなされることにより，両面印刷モードが設定されており，更に記録紙として裏紙Ｓ２が選択されている場合であっても，印刷モードが片面印刷モードに切り替えられるので，裏紙Ｓ２の使用済み面に重ねて印刷処理がなされるという印刷ミスが防止される。また，同時に，印刷条件がトナーセーブモード，集約モード，低画質モード等に設定されるので，無駄なトナーの消費が抑えられ，非常に経済的である。このように，ステップＳ３０の処理を実行する機能が印刷モード切替機能１２である。
その後，処理はステップＳ５０に進み，設定された印刷処理が実行される。
【００２１】
続いて，図４のフローチャートを用いて，本発明の実施の形態にかかるデジタル複合機Ｘの制御部１０により実行される付加情報印字処理の手順について説明する。Ｓ１１０，Ｓ１２０，…は処理手順（ステップ）番号を示す。処理はステップＳ１１０より開始される。
ステップＳ１１０では，上記ステップＳ１０と同じようにして，制御部１０により，裏紙Ｓ１が収容された給紙カセット１０２が選択設定されているかどうかが判断される。ここで裏紙Ｓ１以外の給紙カセットが選択設定されていると判断されると裏紙Ｓ１が使用されていないので付加情報を印字する必要がないため付加情報印字処理は実行されない。
ステップＳ１１０で裏紙であると判断されると，続いてステップＳ１２０において裏紙の使用済み面に付加情報を印字する付加情報印字モードが設定されているかどうかが判断される。かかる判断は，例えば，操作表示部３０の設定画面メニューから付加情報印字モードが指示入力され，制御部１０が上記指示入力信号を受信することにより上記付加情報印字モードが設定されているかどうかが判断される。ここで付加情報印字モードが設定されていないと判断されると付加情報印字処理は実行されず，設定されていると判断されると，制御部１０により用紙反転フラグがセットされて用紙反転信号が用紙反転部３０２に出力される。フィニッシャー３００に搬送された裏紙Ｓ２は，上記用紙反転信号を受信した用紙反転部３０２により反転される。その後，制御部１０により付加情報印字フラグがセットされて付加情報印字信号が付加情報印字部３０１に出力される。上記用紙反転部３０２によって反転された裏紙Ｓ２は，上記付加情報印字信号を受信した付加情報印字部３０１によって，上記裏紙Ｓ２の使用済み面に付加情報が印字される。
【００２２】
続いて，図５のフローチャートを用いて，本発明の実施の形態にかかるデジタル複合機Ｘの制御部１０により実行される付加情報を選択設定する処理の手順を説明するフローチャートで付加情報印字処理の手順について説明する。Ｓ２１０，Ｓ２２０，…は処理手順（ステップ）番号を示す。処理はステップＳ２１０より開始される。
ステップＳ２１０及びステップＳ２２０では，上記ステップＳ１１０，Ｓ１２０と同じようにして，制御部１０により，裏紙Ｓ２が収容された給紙カセット１０２が選択設定されているかどうか，付加情報印字モードが設定されているかどうかが判断される。ステップＳ２１０及びステップＳ２２０において裏紙Ｓ２が収容された給紙カセット１０２が選択設定されていると判断され，付加情報印字モードが設定されていると判断されれば，付加情報選択処理がなされる。具体的には，操作表示部３０に複数の付加情報が表された付加情報リストを表示させて，ユーザに上記付加情報印字部３０１において印字する印字情報を上記付加情報リストから選択するよう促す処理がなされる。これによりユーザは裏紙Ｓ２の使用済み面に印字させる所望の付加情報を選択設定することが可能となる。
【図面の簡単な説明】
【００２３】
【図１】本発明の実施の形態に係るデジタル複合機Ｘの模式断面図。
【図２】本発明の実施の形態に係るデジタル複合機Ｘのシステムブロック図。
【図３】本発明の実施の形態に係るデジタル複合機Ｘの制御部１０により実行される印刷モード切替処理の手順を説明するフローチャート。
【図４】本発明の実施の形態に係るデジタル複合機Ｘの制御部１０により実行される付加情報印字処理の手順を説明するフローチャート。
【図５】本発明の実施の形態に係るデジタル複合機Ｘの制御部１０により実行される付加情報を選択設定する処理の手順を説明するフローチャート。
【符号の説明】
【００２４】
１０…制御部
２０…記憶部
３０…操作表示部
４０…システムバス
１００…画像形成装置本体
１０１…両面ユニット
１０２，１０３…給紙カセット
１１２，１１３…給紙ローラ
２００…自動原稿送り装置
２０１…第１の画像読取部
２０２…第２の画像読取部
３００…フィニッシャー
３０１…付加情報印字部
３０２…用紙反転部
３２０…排紙トレイ
【図１】
2005047129.tif 000003
【図２】
2005047129.tif 000004
【図３】
2005047129.tif 000005
【図４】
2005047129.tif 000006
【図５】
2005047129.tif 000007